(57)【要約】【課題】  本発明は、密閉型でも最冷点温度を容易に制御でき、明るく高効率のコンパクトな環形蛍光ランプを提供することを目的とする。【解決手段】  環径が異なる二本の環形発光管と、前記環形発光管の一方の端部をブリッジ接合部により連結し、他方の外輪と内輪の端部に設けた電極で一つの放電路が形成され、前記ブリッジ接合部の端部にある最冷点と前記電極が設けられた他方の端部を包囲する口金を備えた環形蛍光ランプの前記口金に前記最冷点が位置する前記環形発光管端部と接続する熱伝導部材を備えた。【選択図】  図１
2014026894.tif 000002
【特許請求の範囲】
【請求項１】
環径が異なる二本の環形発光管と、前記環形発光管の一方の端部をブリッジ接合部により連結し、他方の外輪と内輪の端部に設けた電極で一つの放電路が形成され、前記ブリッジ接合部の端部にある最冷点と前記電極が設けられた他方の端部を包囲する口金を備えた環形蛍光ランプであって、前記口金には前記最冷点が位置する前記環形発光管端部と接続する熱伝導部材を備えたことを特徴とする環形蛍光ランプ。
【請求項２】
請求項１に記載された環形蛍光ランプにおいて、前記口金に備えた熱伝導部材と前記最冷点が位置する環形発光管端部を接続するために放熱性接着剤を設けたことを特徴とする環形蛍光ランプ。
【請求項３】
請求項１または２に記載された環形蛍光ランプを光源とする照明器具において、前記口金に備えた熱導電部材とランプを保持する金属材のランプホルダーが接続され、放熱パスが形成されたことを特徴とする照明器具。
【発明の詳細な説明】
【技術分野】
【０００１】
本発明は環形蛍光ランプ及び環形蛍光ランプを光源とする照明器具に関するものである。
【背景技術】
【０００２】
蛍光ランプは、管内の温度が上昇すると、内部の水銀蒸気圧が上昇することにより、蛍光ランプの明るさ及び発光効率が低下することが問題となっている。従来から、管内の温度上昇を防ぐ技術、特に、蛍光ランプの管内の温度の最も低い箇所である最冷点の熱を下げる技術が提案されている。
【０００３】
特許文献１には、環形蛍光ランプの口金に、この口金の内外に貫通する開口部を設けることにより、ランプ周囲温度が上昇する使用状態においても、最冷点温度を適正に制御し、明るさを向上させるようにした環形蛍光ランプが提案されている。
【０００４】
特許文献２には、口金に通風孔を設けるとともに、この口金内部の給電部と通風孔とを遮断する隔壁を設けた構成とすることにより、ランプ周囲温度が上昇する使用状態においても、最冷点温度を適正に制御し、明るさ及び発光効率の低下を抑制するようにした環形蛍光ランプが提案されている。
【先行技術文献】
【特許文献】
【０００５】
【特許文献１】特許第2791304号公報
【特許文献２】特許第3135526号公報
【発明の概要】
【発明が解決しようとする課題】
【０００６】
環形蛍光ランプが取り付けられる照明器具には、非密閉型と、密閉型とがある。
【０００７】
非密閉型は、環形蛍光ランプが収められる空間が閉じられたものではない。つまり、非密閉型は、環形蛍光ランプ周囲の温度は照明器具外の温度とある程度循環されるため、非密閉型の照明器具に、特許文献１，２に記載の環形蛍光ランプを取り付けると口金に設けた開口部や通風孔により最冷点温度を適正に制御できる。
【０００８】
対して、密閉型は、蛍光ランプが収められる空間が閉じられたものである。つまり、密閉型は、環形蛍光ランプ周囲の温度が循環されることがない。そのため、照明器具内のランプ温度はランプのみの点灯時よりもさらに１５〜２５℃も上昇し、密閉された照明器具内の温度は５０〜６０℃にもなる。よって、特許文献１，２に記載の環形蛍光ランプを非密閉型に取り付けた場合は、環形蛍光ランプの周囲温度自体が上昇してしまうため、構造上最冷点温度は４０〜５０℃を越えてしまい、環形蛍光ランプの明るさ及び発光効率が低下する恐れがある。
【０００９】
本発明は、密閉型でも最冷点温度を容易に制御でき、明るく高効率のコンパクトな環形蛍光ランプ及び環形蛍光ランプを光源とする照明器具を提供することを目的とする。
【課題を解決するための手段】
【００１０】
本発明の蛍光ランプは、環径が異なる二本の環形発光管と、前記環形発光管の一方の端部をブリッジ接合部により連結し、他方の外輪と内輪の端部に設けた電極で一つの放電路が形成され、前記ブリッジ接合部の端部にある最冷点と前記電極が設けられた他方の端部を包囲する口金を備えた環形蛍光ランプであって、前記口金には前記最冷点が位置する前記環形発光管端部と接続する熱伝導部材を備えている。
【発明の効果】
【００１１】
密閉型でも最冷点温度を容易に制御でき、明るく高効率のコンパクトな環形蛍光ランプ及び環形蛍光ランプを光源とする照明器具を提供することができる。
【図面の簡単な説明】
【００１２】
【図１】本発明の実施例である環形蛍光ランプの正面欠片図
【図２】環形蛍光ランプの要部欠片拡大図
【図３】本発明と従来の実施例である環形蛍光ランプの周囲温度特性を示す図
【発明を実施するための形態】
【００１３】
以下、本発明の実施例について、図面を用いて説明する。
【実施例】
【００１４】
図１は、環形蛍光ランプの正面欠片図である。環形蛍光ランプ１００は、環径が異なる二本の環形発光管１、２が同一平面上に設けられ、前記環形発光管１，２の一方の端部をブリッジ接合部３により連結し、他方の端部に設けた電極４，５で一つの放電路が形成され、前記ブリッジ接合部３の端部にある最冷点と前記電極４，５が設けられた他方の端部を包囲する口金６を備えた環形蛍光ランプ１００であって、前記口金６には前記最冷点が位置する前記環形発光管の端部とを接続する熱伝導部材７を備えている。
【００１５】
図１に示す本発明の実施例である環形蛍光ランプは、外輪となる環形発光管１と内輪となる環形発光管２が同一平面上に配置されており、略同心円上に配置されている。環形発光管１、２はそれぞれ一方の端部の近傍でブリッジ接合部３により連結され、他端には電極４、５を有したステムが封着されており、外輪の環形発光管１の電極４と内輪の環形発光管２の電極５に至る一つの放電路が形成されている。環形発光管１、２の内表面には蛍光体が塗布されており、管内にはアルゴン、ネオン、クリプトンなどの希ガスが１５０〜８００Ｐａ及び水銀が封入されている。外輪の環形発光管１のブリッジ接合部３が近傍にある端部に本発明の環形蛍光ランプの最冷点があり、環形発光管１、２のそれぞれの端部を包囲する形で口金６が設置されている。口金６には最冷点となる外輪の環形発光管１の端部の位置となる場所に熱伝導部材７が設置され、最冷点と口金６に設置された熱伝導部材７は内部で接続されている。これにより、最冷点を冷却するための放熱パスを作成し、水銀蒸気圧を決定する最冷点温度を最適温度領域に制御する作用を有する。
【００１６】
図２は図１と同じく本発明の実施例である環形蛍光ランプの要部欠片拡大図である。
【００１７】
図２に示す本発明の実施例である環形蛍光ランプは、外輪となる環形発光管１の端部にある最冷点（図示せず）と端部を包囲する形で設置された口金６に設けられた熱伝導部材７が放熱性接着剤８により接続されており、口金６に設けられた熱伝導部材７は金属材のランプホルダー９と接続され、最冷点からランプホルダー９に一つの放熱パスが形成されている。ランプホルダー９は、シーリングライト等の照明器具に備えられている。放熱性接着剤８により、最冷点を冷却するための放熱パスを途中で途切れることなく確実に作成し、水銀蒸気圧を決定する最冷点温度を最適温度領域に制御する作用を有する。特にランプホルダー９が照明器具における照明器具の外部に露出している放熱板１０等に取り付けられていれば、環形蛍光管における最冷点と熱伝導部材７とが接触し、熱伝導部材７とランプホルダー９とが接触し、ランプホルダー９と放熱板１０とが接触することになる。これによると、放熱パスにより、照明器具の外部と最冷点とをつなぐことになる。放熱パスにより最冷点つまり、前記口金に備えられた熱導電部材と照明器具に備えられた金属材のランプホルダーを接触させることで、最冷点を冷却する一連の放熱パスを形成することができるので、形成された放熱パスの最冷点の他端部を密閉された照明器具外で放熱させ、ランプの明るさ及び発光効率を容易に最大値に保ち、明るく高効率でコンパクトな環形蛍光ランプを実現することができる。なお、前記口金に備えられた熱導電部材は電極への給電部とのショートを避け、蛍光ランプの最冷点を覆う面積２５〜１５０ｍｍ2であることが望ましい。
【００１８】
このように形成された本発明における環形蛍光ランプと、従来の環形蛍光ランプとを比較したグラフを図３に示す。本発明における環形蛍光ランプは下記条件で形成したものである。環形発光管１、２の管外径が２０ｍｍ、外輪となる環形発光管１の環外径が４００ｍｍ、内輪となる環形発光管２の環内径が３１４ｍｍ、環形発光管１、２の電極側端部と非電極側端部との開口部の距離を２１ｍｍ、口金に銅からなる熱伝導部材縦２０ｍｍ×横３ｍｍ×肉厚１ｍｍを設置し、光源色は昼光色（光源色記号ＥＤ）、定格ランプ電力９７Ｗの環形蛍光ランプを形成。口金に熱伝導部材を設けた本発明品の全光束と口金に熱伝導部材を設けていない従来品の全光束を従来品の周囲温度２５℃時の全光束を１００％とした相対値で図３に示している。この時のシーリングライトの密閉器具内の温度はどちらの場合約５２℃である。
【００１９】
それぞれの環形蛍光ランプをシーリングライトの密閉器具内で点灯した結果、口金に熱伝導部材を設けた本発明品は従来品より、水銀蒸気圧を決定する最冷点温度が約５℃低下し、シーリングライトの密閉器具内では約９％明るさが向上し、最適な最冷点温度範囲の４０〜５０℃に近くなり、ランプの明るさ及び発光効率が改善されている。
【００２０】
以上説明したように、本発明は環形蛍光ランプの非電極側にある最冷点が位置する端部と口金に設けた熱伝導部材を接続することにより、シーリングライトのような密閉器具点灯においても明るさの低下を抑制でき、明るく高効率のランプを得ることができる。
【符号の説明】
【００２１】
１、２…環形発光管
３…ブリッジ接合部
４、５…電極
６…口金
７…熱伝導部材
８…放熱性接着剤
９…ランプホルダー
【図１】
2014026894.tif 000003
【図２】
2014026894.tif 000004
【図３】
2014026894.tif 000005